(57)【要約】      （修正有）【課題】ヘッドの表面の強度を向上させて、衝撃あるいは擦り傷に耐えるゴルフクラブヘッドを提供する。【解決手段】ゴルフクラブヘッドは、バック部１１とフェース部１２とを有する本体１と、互いに連接する第一膜及び第二膜を有する鍍金層２とを含み、第一膜は本体１のバック部１１に結合し、且つ第一膜の厚さが第二膜より薄いことを特徴とする。【選択図】図１
0003219805.tif 000002
【実用新案登録請求の範囲】
【請求項１】
バック部とフェース部とを有する本体と、互いに連接する第一膜及び第二膜を有する鍍金層とを含み、前記第一膜は前記本体のバック部に結合し、且つ前記第一膜の厚さが前記第二膜より薄いことを特徴とするゴルフクラブヘッド。
【請求項２】
前記本体のバック部は炭素鋼を材料として製作されることを特徴とする請求項１に記載のゴルフクラブヘッド。
【請求項３】
前記本体のフェース部はチタン合金を材料として製作されることを特徴とする請求項１に記載のゴルフクラブヘッド。
【請求項４】
前記第一膜はニッケル或いは銅からなることを特徴とする請求項１に記載のゴルフクラブヘッド。
【請求項５】
前記第二膜はクロムからなることを特徴とする請求項１に記載のゴルフクラブヘッド。
【請求項６】
前記第一膜の厚さは０．５〜２．５μｍであり、前記第二膜の厚さは４〜８μｍであることを特徴とする請求項１に記載のゴルフクラブヘッド。
【請求項７】
前記第二膜の硬度はＨＶ３００〜６００であることを特徴とする請求項１に記載のゴルフクラブヘッド。
【請求項８】
前記第一膜及び前記第二膜は物理気相成長または電気めっきにより形成されることを特徴とする請求項１に記載のゴルフクラブヘッド。
【考案の詳細な説明】
【技術分野】
【０００１】
本考案は、ゴルフクラブに関するもので、特に、一部に鍍金を有するゴルフクラブヘッドに関するものである。
【背景技術】
【０００２】
一般的には、ゴルフクラブヘッドを使用するときに、ぶつかったり、擦り傷をつけたりすることがよくあった。
【先行技術文献】
【特許文献】
【０００３】
【特許文献１】台湾公告第２８８３４６号
【考案の概要】
【考案が解決しようとする課題】
【０００４】
例えば、ゴルフクラブヘッドは、ゴルフボールを打撃し、衝撃を受けることにより、傷が生じ易いことがあった。よって、衝撃あるいは擦り傷に耐えるゴルフクラブヘッドを提供する必要がある。
【課題を解決するための手段】
【０００５】
本考案は、上記の課題を解決するために、ヘッドの表面の強度を向上させるゴルフクラブヘッドを提供することを目的とするものである。
【０００６】
本考案において、「上（頂）」、「下（底）」、「内」、「外」等の方向用語は、主に図面の方向を参照するものであり、上記各方向用語は、本考案の各実施例を説明する或いは理解できるように用いられるものであり、本考案を限定するものではない。
【０００７】
本考案のゴルフクラブヘッドでは、バック部とフェース部とを有する本体と、互いに連接する第一膜及び第二膜を有する鍍金層とを含み、前記第一膜は前記本体のバック部に結合し、且つ前記第一膜の厚さが前記第二膜より薄いことを特徴とする。
【０００８】
これによって、本考案のゴルフクラブヘッドは、本体の表面に鍍金層を有することにより、ゴルフクラブヘッドの表面の硬さ、耐摩耗性及び耐腐食性を向上させ、ゴルフクラブヘッドの耐久性を向上させることができる。且つ、フェース部には鍍金層が形成されていないため、フェース部の特性に影響を与えず、打撃安定性を向上させ、ゴルフボールを打撃するときに、鍍金層が剥がれることを避けることができる。
【０００９】
また、前記本体のバック部は炭素鋼を材料として製作されることにより、優れた打撃感を有する。
【００１０】
また、前記本体のフェース部はチタン合金を材料として製作されることにより、低密度且つ高強度を有する。
【００１１】
また、前記第一膜はニッケル或いは銅からなることにより、前記フェース部から分離することができる。
【００１２】
また、前記第二膜はクロムからなることにより、前記鍍金層が優れた強度を有する。
【００１３】
また、前記第一膜の厚さは０．５〜２．５μｍであり、前記第二膜の厚さは４〜８μｍであることにより、前記鍍金層を容易に前記フェース部から剥がすことができる。
【００１４】
また、前記第二膜の硬度はＨＶ３００〜６００であることにより、前記鍍金層が優れた強度を有する。
【００１５】
また、前記第一膜及び前記第二膜は物理気相成長または電気めっきにより形成されることにより、加工利便性を向上させることができる。
【図面の簡単な説明】
【００１６】
【図１】図１は、本考案の第一実施例に係るゴルフクラブヘッドの概略構造斜視図。
【図２】図２は、鍍金層における本考案の第一実施例に係るゴルフクラブヘッドの断面構造の説明図である。
【考案を実施するための形態】
【００１７】
本考案の実施の一形態について、以下、図面を参照して説明する。図1を参照すると、本考案のゴルフクラブヘッドの第一実施例であるゴルフクラブヘッドは、本体１と鍍金層２を含み、鍍金層２は本体１の表面に結合しておく。
【００１８】
本体１の形態としてはゴルフクラブヘッドであればよく、詳しく言うと、本体1はバック部１１（back）及びフェース部１２（face）を有し、バック部１１は合金材料からなり、例えば炭素鋼を材料とすることができる。フェース部１２は相対的に高弾性変形能力または振動吸収能力を有する金属を選択し、例えばチタン合金を選択することができ、また、本体１のバック部１１及びフェース部１２は一つの合金材料で鋳造により一体成形に形成することができ、或いは、バック部１１とフェース部１２をそれぞれ異なる材料で鋳造により形成してから接合することができ、本考案はこれらに限定されない。さらに、本体1において、使用者が把持して打撃するためのゴルフクラブハンドルを連接するのに用いられ、バック部１１とフェース部１２に連接するホーゼル部１３（hosel）を有することができ、これは当業者が理解できるものであるため、説明を省略する。
【００１９】
図２を参照すると、鍍金層２は金属からなるものが好ましく、本体１に結合して本体１の表面の硬さ、及び耐摩耗性を向上させることができ、さらに鍍金層２は物理気相成長（ＰＶＤ）または電気めっきにより本体１の表面に形成することができる。注意すべきことは、ゴルフクラブヘッドの打撃感はフェース部に左右されるため、ゴルフボールを打撃するときにフェース部１２の機械的性質が活かされずにボールコントロールに対して影響が生じることを避け、また、ゴルフボールを打撃するときに、鍍金層２が剥がれることを避けるために、本体１のフェース部１２には鍍金層２を形成しないことが好ましい。
【００２０】
予めに本体１の表面全体に鍍金層２を形成させてから、フェース部１２における鍍金層２を剥がす。これにより、本体１のバック部１１だけに鍍金層２を形成することについて加工利便性を向上させることができる。詳しく言えば、鍍金層２は互いに連接する第一膜２１と第二膜２２を有し、第一膜２１が本体１に隣接し、且つ第一膜２１の厚さが第二膜２２より薄く、第二膜２２の硬度がＨＶ３００〜６００であることが好ましい。第一膜２１があることによって、フェース部１２から鍍金層２を容易に剥がすことができ、且つ第二膜２２があることによって、優れた耐摩耗性及び耐腐食性を提供することができる。本実施例では、第一膜はニッケル或いは銅からなってもよく、第二膜はクロムからなってもよく、且つ第一膜の厚さは０．５〜２．５μｍであることが好ましく、第二膜の厚さは４〜８μｍであることが好ましい。これによって、鍍金層２は優れた強度を有し、かつフェース部１２から容易に剥がれることができる。
【００２１】
総合すると、本考案のゴルフクラブヘッドにおいて、本体の表面に鍍金層を有することにより、ゴルフクラブヘッドの表面の硬さ、耐摩耗性及び耐腐食性を向上させ、ゴルフクラブヘッドの耐久性を向上させることができる。且つ、フェース部には鍍金層が形成されていないため、フェース部の特性に影響を与えず、打撃安定性を向上させ、ゴルフボールを打撃するときに、鍍金層が剥がれることを避けることができる。
【００２２】
注意すべきことは、本考案において、「結合」、「組合」或いは「組み立て」等の近似語は、主に連結した後、破壊しなくても分離することができるもの、或いは、連結した後分離することが不可能なもの等の様態を含み、例えば、ねじ山を有する部品を互い螺合すること、テープ或いはマジックテープ（登録商標）で連接すること、ロープで縛ること、磁石吸着、係合、粘着、或いは溶接等の連接様態は当業者が連接しようとする部件の材質、または組み立ての様態によって選択できるものであり、本考案はこれらに限定されない。
【００２３】
本考案は、その精神と必須の特徴事項から逸脱することなく他のやり方で実施することができる。従って、本明細書に記載した好ましい実施形態は例示的なものであり、本考案の範囲を限定するものではない。
【符号の説明】
【００２４】
１    ・・・本体
１１  ・・・バック部
１２  ・・・フェース部
１３  ・・・ホーゼル部
２    ・・・鍍金層
２１  ・・・第一膜
２２  ・・・第二膜
【図１】
0003219805.tif 000003
【図２】
0003219805.tif 000004